Podtech/llm-jp-corpus-v4-ja_patent huggingface dataset:
(57)【要約】      （修正有）【課題】ゴルフ場のＯＢラインを特定するための巻き尺式道糸繰出し器と併用する練習用パターの距離測定器を提供する。【解決手段】巻き尺式の繰出し器に１ヤード毎に赤白に色分けした道糸を納め、道糸の先にフック金具を取付け、巻取り器にもフック金具を取付けた計測器で、ＯＢ杭の間に引っ掛けて道糸を張ってＯＢラインを定めると共に、練習用パターでホールとボールの間を道糸を引き出して赤白の色の数によって、ボールとホールの距離を計る。【選択図】図１
0003142042.tif 000002
【実用新案登録請求の範囲】
【請求項１】
長尺の道糸（１）に対して１ヤード毎に色分けし、さらに１フィート毎に目印を設け、該道糸の（１）先端にピン通し用の穴（４）を設けた糸止め用のフック金具（３）を設け、道糸（１）の基端に巻き取り器（２）を設けたことを特徴としたゴルフ用計測器。
【請求項２】
道糸（１）の基端となる巻き取り器（２）に糸掛け用のフック金具（３１）を設けたことを特徴とした請求項１に記載のゴルフ用計測器。
【請求項３】
道糸（１）は、紐又はテープを代用する請求項１に記載のゴルフ用計測器。
【考案の詳細な説明】
【技術分野】
【０００１】  本考案は、巻き尺状の糸巻き器よりなるゴルフ用計測器に関する。
【背景技術】
【０００２】  ゴルフ場においてＯＢラインは約１０ヤード間隔に埋設した色杭（ＯＢ杭）によって決められていて、ＯＢ球に対しては、この色杭を目標に目視によって競技者同士納得して決めている。しかし、ＯＢライン近くに打ち込まれたボールに対しては微妙なことで、この一打が勝負を左右する結果となる。このためプロの大会等では審判員が予め巻き尺のようなテープを用意して判定しているが、一般的ではない。
また、パットやアプローチの練習で、歩いてその歩数によってボールとホールまでの距離を計算している場合も見受けられる。
【特許文献１】  特開２００３−７９７７８号公報
【考案の開示】
【考案が解決しようとする課題】
【０００３】  本考案は、ゴルフ用の計測器として、小型で携帯し易くして、一般のゴルフ愛好者が常に持参できる大きさとし、また練習場でパットの距離に対しての力の加減を修得することのできるゴルフ用計測器を提供するものである。
【課題を解決するための手段】
【０００４】  このため本考案は、図１のようにタコ糸のような丈夫な道糸（１）を使用し、この道糸に１ヤード（約９０ｃｍ）毎に赤白の着色を付した道糸（１）を使用する。そして、この道糸（１）の先端に、ピン差し込み用の穴（４）を設けたフック金具（３）を取付けると共に、基端に糸巻き器（２）を設け、この糸巻き器（２）にもフック金具（３１）を設けた計測器を開発した。図示にはないが、ヤード毎の色別けに際して、さらに１フィート刻みで黒点のような目印をつける。【０００５】  そして、この計測器を使用してのＯＢラインの判定には、図２のように色杭と色杭の間にフック金具（３），（３１）を利用して道糸（１）を張って測定し、更にパットの練習には、図３に示すように、フック金具（３）を利用して、この金具（３）の穴（４）にピンを通して固定し、道糸（１）を伸ばしてホールまでの距離を、道糸（１）に付けた色分けの数によって距離を計測する。
【考案の効果】
【０００６】  本考案のゴルフ用計測器は、小型で簡単な構造の巻取り器と道糸からなるもので、ゴルフ中に常に携帯できるもので、プレー中でもＯＢの判定が直ちにでき、また練習場でのパターの練習に適しているため、プロから一般に愛好者の間で好評でこの計測器の利用効果はきわめて顕著である。
【実施例】
【０００７】  添付図面により本考案の実施例を説明すると、図１は本考案のゴルフ用計測器の説明図で、図中の符号（１）は道糸を示している。この道糸（１）はタコ糸のような丈夫な糸で、１ヤード毎に赤白の色分けがしてあり、さらに、この１ヤードの色別の間に１フィート毎に黒点のような目印を設ける。そして、この道糸（１）の先端にはフック金具（３）を設ける。また、道糸（１）の基端には糸巻き器（２）を設け、手動又は電動で道糸（１）を巻きとることができ、道糸（１）全体の長さは約２０ヤード以上が必要である。【０００８】  図２は本考案の計測器を使用したＯＢライン判定の実施例図を示す。図示において色杭（ＯＢ杭）間に道糸（１）を張る手順で、一方の色杭に道糸（１）の先端のフック金具（３）を利用して図示のように道糸（１）を固定し、道糸（１）を伸ばし他方の色杭に糸巻き器（２）のフック金具（３１）を利用して道糸（１）を張り渡してＯＢラインを定める。この場合には道糸（１）がテープのように幅広でなく細いため、ボールとＯＢラインの関係が明確で、ＯＢボールの判定が適確にできる。【０００９】  図３は練習グリーンでのボールとカップとの間の距離を測る実施例図で、ボールの位置にマーキングをし、このマークの位置に道糸（１）の先端のフック金具（３）の穴（４）を当て、この穴（４）を利用してピンを挿して固定し、道糸（１）を伸ばしてカップの位置まで進むと、伸びた道糸（１）の色別けした数およびフィート単位の目印の数で距離が判明し、パットの距離に応じた力加減が修得できる。本考案において長さの単位を英尺で表したが、メートル単位を用いても同様の効果を奏する。
【産業上の利用可能性】
【００１０】  上述のように本考案のゴルフ用計測器はＯＢラインの判定に利用できることに併せて、パットの力加減を修得する練習にも利用でき、しかも小型軽量で携帯に便利なためプロ選手を始めゴルフ愛好家にとってきわめて有用でこの利用度合は大きい。
【図面の簡単な説明】
【００１１】
【図１】  本考案の説明図
【図２】  ＯＢライン判定の実施例図
【図３】  パターの距離測定の実施例図
【符号の説明】
【００１２】  （１）…道糸
（２）…糸巻き器本体
（３）…フック金具
（４）…穴
（３１）…本体側のフック金具
【図１】
0003142042.tif 000003
【図２】
0003142042.tif 000004
【図３】
0003142042.tif 000005
(57)【要約】      （修正有）【課題】自動車運転に於ける小集団行動に於いて、自分達の運転行為を関係のない他車輌の運転者に周辺秩序を保ちつつ知らしめる標識リボンを提供する。【解決手段】自らの知らしめたい行動行為が葬儀であれば、例えば白と黒のリボンテープを数１０ｃｍで裁断し短冊状にまとめる。結婚式であれば白と赤の如く社会通念上誰が見ても理解できる色を選ぶ。この標識リボンを自らの運転する車輌のサイドミラー等にくくりつけ第三者に自らの行動行為を知らしめる。【選択図】図１
0003142047.tif 000002
【実用新案登録請求の範囲】
【請求項１】
多色リボンテープを短冊状に裁断し、リボン色の組合せを葬儀であれば白・黒又は白・青等の如く行事を表す代表色で複数本たばね、吊り下げられるように上部にヒモ様部分を施し自動車のサイドミラーの根元などに簡単に取り付けられる標識リボン。
【考案の詳細な説明】
【技術分野】
【０００１】  自動車運転に於ける小集団行動に於いて、自分達の運転行為を関係の無い他車輌の運転者に周辺秩序を保ちつつ知らしめる標識リボンに関するものである。
【背景技術】
【０００２】  団体行動をとる例えば葬儀などに於いて、車列を組んで市中を走行する場合、第三者の車輛が割り込んで不都合を来たす場合が良くある。本案はかかる不都合を解決するべく考案されたものである。
【考案の開示】
【考案が解決しようとする課題】
【０００３】  自分達に団体行動行為を第三者に容易に知らせる方法には、旗・のぼり・拡声装置等の広報行為があるが、設置方法・取付方法・コストなどに於いて困難な場合が多々ある。
【考案の効果】
【０００４】  本案は車列を組んで走行している時、関係のない他車輛運転者に自らの目的を適確に知らしめ、忌避意識を喚起する事を目的とする。
【考案を実施するための最良の形態】
【０００５】  本案は自車輛のサイドミラーに添付図面で説明される自分達の行動行為を表す標識リボンを結びつける。
【実施例】
【０００６】  以下添付図面に従って一実施例を説明する。
自らの知らしめたい行動行為が葬儀であれば、例えば図中１で示す白と黒のリボンテープを数１０センチで裁断し短冊状にまとめる。結婚式であれば白と赤の如く社会通念上誰が見ても理解できる色を選ぶ。２はサイドミラーの根元、あるいは棒状アンテナの根元などに結びつけるヒモ状部分である。
【図面の簡単な説明】
【０００７】
【図１】本考案の一実施例を示す。
【符号の説明】
【０００８】  １  色が選ばれたリボン
２  他に結びつけるヒモ
【図１】
0003142047.tif 000003
(57)【要約】      （修正有）【課題】上着着用時夏は涼しく冬暖かく快適に過ごせるスーツ及びジャケットを提供する。【解決手段】上着の背裏及び脇裏にポケット１１を作ることにより表側からは従来の上着となんら変わりなく冷温パット又は使い捨てカイロを装着する。【選択図】図２
0003142049.tif 000002
【実用新案登録請求の範囲】
【請求項１】
上着の背裏及び脇裏にポケットを作りその中に夏物には冷却パットを装着、冬ものには使い捨てカイロが装着できることを特徴としたスーツ及びジャケット。
【考案の詳細な説明】
【技術分野】
【０００１】この考案は、夏涼しく、冬暖かい上着に関する。
【背景技術】
【０００２】夏の屋外にて上着を着用しても背裏及び脇裏に冷却パットを装着すれば数時間は涼しく感じ快適に過ごせ、冬の寒い季節には背裏のポケットに使い捨てカイロを装着すれば室内温度も高めることなく暖かく過ごせ省エネにつながる。
【考案が解決しようとする課題】
【０００３】今までは上着の中に冷却パット及び使い捨てカイロ等を入れてなおかつ着脱できるものはなく、たとえ有ったとしてもスーツに対応する物が見あたらなかった。
【考案の効果】
【０００４】着用時にシルエットを崩すことなく又動きも妨げることなく夏は涼しく、冬は厚着することもなく快適に過ごせます。
【図面の簡単な説明】
【０００５】
【図１】背裏及び脇裏の平面図である。
【図２】背裏部分の拡大図である。
【図３】脇裏部分の拡大図である。
【符号の説明】
【０００６】１０  ファスナー
１１  袋（ポケット）
１２  冷温パット
１３  背裏
１４  脇裏
【図１】
0003142049.tif 000003
【図２】
0003142049.tif 000004
【図３】
0003142049.tif 000005
(57)【要約】      （修正有）【課題】より効果的な足加温を可能とし、その移動も容易でかつ、乾式の足加温装置を提供する。【解決手段】上部開放有底の断熱容器内面にヒーターと面状ヒーターを設けるとともに、該容器内にセラミックボールを貯留したことを特徴とする。【効果】湯を用いずセラミックボールを用いるので、事後の拭き取りが不要であり、移動や設置に制限を受けることが少なく、かつセラミックボールの抗菌性を活用し、衛生的なものとなる。【選択図】図３
0003142050.tif 000002
【実用新案登録請求の範囲】
【請求項１】
上部開放有底の断熱容器内面にヒーターを設けるとともに、該容器内にセラミックボールを貯留したことを特徴とする乾式足加温装置。
【請求項２】
ヒーターを面状ヒーターとしてなる請求項１記載の乾式足加温装置。
【考案の詳細な説明】
【技術分野】
【０００１】  この考案は、セラミックボールとヒーターを用いてなる乾式の足加温装置に関する。
【背景技術】
【０００２】  従来より、足の加温方式としては足部を湯につけるいわゆる足湯が一般的であり、本案にて示すような乾式の足加温装置は現在のところ見あたらない。
【考案の開示】
【考案が解決しようとする課題】
【０００３】  足湯は温泉地その他でよく利用されている。この足湯は浅い浴槽内に適温の湯を入れ、使用者は膝から下の部分を湯中に入れて加温するもので、いわば簡易な部分入浴ともいえるものであり、その簡便さが好まれている。この足湯にて血行が促進されて人体に好影響を与える。しかし、足を湯中に入れるために、使用後は足を拭き取らねばならず、湯を使用するために雑菌が繁殖しやすいものであった。また、それなりの人数が利用できるように、ある程度の大きさを有するとともに、工事にて設置するものであるために、利用場所が限られる。
そのため、家庭内での利用は不能であり、例えば所定サイズの容器内に湯を入れて、一時的な足湯として使用することも考えられるが、時間の経過とともに湯が冷めてしまう。
本案は、以上のような従来からの足湯に関わる課題を解決するために考案されたもので、加温のためのヒーターと粒状のセラミックボールとを組み合わせることにより、家庭内でも手軽に利用できるとともに、足を濡らすことなく簡易に利用することができ、その加温能力にも優れた新規かつ有用なる装置を提供することを目的として開発されたものである。
【課題を解決するための手段】
【０００４】  課題を解決する手段として本案は以下の構成とした。
すなわち、上部開放有底の断熱容器内面にヒーターを設けるとともに、該容器内にセラミックボールを貯留する。本案は以上の構成よりなる乾式足加温装置である。
【考案の効果】
【０００５】  本案によれば、容器に貯留されたセラミックボール間に足を挿入し、容器内のヒーターにてセラミックボールを加温する方式のため、加温されたセラミックボールから発する遠赤外線が足の深部まで到達するため、効率よく足の加温を行うことができ、血行促進や老廃物の排出効果に優れ、湯を用いる従来の足湯に比べてより効果的なる足加温を行うことができる。また、液体を用いないので事後の拭き取りが不要であるとともに、装置の移動・運搬も容易なため、任意の場所での使用が可能であるなど種々の効果を有する乾式の足加温装置を提供することができる。
【考案を実施するための最良の形態】
【０００６】  以下、本考案の実施形態について説明する。
図において、１は上部開放有底箱形の木製容器で、その前方は傾斜側面を有している。
また、容器上縁には有色金属板体にて容器側面と段差を有する鍔部２が設けられ、容器外面は有色の金属板にて覆われている。この容器１の内面には、アルミ蒸着ウレタンフォームによる断熱材３が貼着され、この断熱材面を覆うように市販の面状ヒーター４（カーボンヒーター）が設けられる。５は容器１の前方側面に設けられるパネル形式の制御部で、表示部およびスイッチを有して面状ヒーターと結線接続されるとともに、外部電源にも接続される。（結線図略）６はセラミックボールである。このセラミックボールは、細かく粉砕した鉱石を球状にして高温で焼結させたもので、シリカ成分を含有し、直径数ミリメートル程度の球体である。このセラミックボールは図示のごとく、容器上縁近くまで容器内に貯留される。
本案を使用するには、まず希望場所の床面に本装置を置き、外部電源に接続してヒーターにＡＣ１００Ｖを供給する。この電源接続にてヒーターは発熱し、この熱はセラミックボールに伝わる。通電開始から１〜２時間ほどでセラミックボールは４０度〜４２度の適温になり、使用可能となる。使用者は図のごとく本装置近くに椅子などを置いて座り、足先からセラミックボール中に足を挿入する。この挿入した足部分は加温されたセラミックボールからの伝熱とともにセラミックボールの発する遠赤外線の放射を受け、有効に足が加温される。これを通常は１５分〜３０分ほど持続させ、これにて血行が促進されるとともに発汗による老廃物の排出がなされる。
使用後は足を抜き出し、通電を解除する。連続使用のときは通電を解除せずに再度利用することができる。【０００７】  容器外面には制御部があるので、これを操作することにて使用温度、使用時間などをコントロールすることができる。容器は断熱材を有するとともに比較的軽量である木材を用い、その内面には断熱材が設けられ、該断熱材内面に面状ヒーターが位置するので、ヒーターから発した熱の外部への漏洩を極小とし、セラミックボールへの一様な加温を行うことができる。
以上、本案について期したが、本案は湯を用いずにセラミックボールを用いたところにその特徴を有するものである。既述のように、従来の足湯は液体を用いるために事後の拭き取りが必要であり、また所定場所に設置して利用するものであるため、利用場所が限定されるものであった。しかし、本案は湯に代えてセラミックボールを使用する小型の装置であるために、このような不便さを有せず、足の拭き取りを不要し、かつ移動が可能であるために任意の場所での利用が可能となったのである。
さらに、セラミックボールへの加温に面状ヒーターを用いることにより、その一様な加温ができ、加温後には接触による伝熱とともにセラミックボールから発する遠赤外線による足加温が行われ、湯を使用する場合に比べて足の深部への加温を可能としたために、より効果的なる血行促進等の効果を発揮することができるものとなったのである。
さらに、足部をセラミックボール中に入れて使用するので、その圧迫感による心地よさを得ることができ、このセラミックボールは抗菌性を有して衛生的な使用ができる。
なお、既述の構成は実施の一例であり、近似の他の構成としてもよい。
以上のごとく、本案によって足へのより効果的な加温を可能とする有用なる装置を提供することができる。
【図面の簡単な説明】
【０００８】
【図１】  本考案の平面図
【図２】  本考案の正面図
【図３】  Ａ−Ａ拡大断面図
【図４】  本考案の使用状態図
【符号の説明】
【０００９】  １  容器
２  鍔部
３  断熱材
４  面状ヒーター
５  制御部
６  セラミックボール
【図１】
0003142050.tif 000003
【図２】
0003142050.tif 000004
【図３】
0003142050.tif 000005
【図４】
0003142050.tif 000006
(57)【要約】      （修正有）【課題】湾曲成形などによる分散剥離を防ぎ良好な伝送効率を具えたフラットケーブルの構造を提供する。【解決手段】フラットケーブルの構造は、特定数量の芯線及び遮蔽層を具え、その芯線は複数の単線式導線を含むか、もしくは複数のねじり導線を含み、更に各芯線上、下方には上、下遮蔽層を圧着し、良好な伝送効率を具えた軟質フラットケーブル主体とする。【選択図】図３
0003142008.tif 000002
【実用新案登録請求の範囲】
【請求項１】
特定数量の芯線及び遮蔽層を具えて圧着した軟質フラットケーブル構造において、芯線は、複数の単線式導線を含むことを特徴とする、フラットケーブルの構造。
【請求項２】
特定数量の芯線及び遮蔽層を具えて圧着した軟質フラットケーブル構造において、
芯線は、複数のねじり導線を含むことを特徴とする、フラットケーブルの構造。
【請求項３】
前記ねじり導線は、少なくとも二本、もしくはそれ以上の単線式導線を相互にねじったものを含むことを特徴とする、請求項２記載のフラットケーブルの構造。
【請求項４】
前記軟質フラットケーブル主体は、上、下遮蔽層を具え、その上、下遮蔽層は各芯線上、下方に圧着し、その上、下遮蔽層は絶縁材質とすることを特徴とする、請求項１もしくは２記載のフラットケーブルの構造。
【請求項５】
前記上、下遮蔽層は、各芯線の前端部分区域を露出させて連接部を形成することを特徴とする、請求項４記載のフラットケーブルの構造。
【考案の詳細な説明】
【技術分野】
【０００１】
本考案は、フラットケーブルに関するもので、特に伝送効率が良好なフラットケーブル本体に係る。
【背景技術】
【０００２】
電子製品は、日々精密化しており、コンピュータ、電気製品の構造は、非常に細かい。フラットケーブルを前述に応用して信号を伝送すると、業者もしくはユーザーがコネクタと設置する作業がスピーディになる。配列状構造のフラットケーブルにより、コンピュータ、電気機器内部の配置空間が整然として放熱しやすい、もしくは修理、補修しやすくなる。
【０００３】
公知のフラットケーブル構造は、図１及び図２に示すとおりで、そのうちこのフラットケーブル１は、一上樹脂皮膜層１１、一下樹脂皮膜層１２及び複数の単線式電線１３を含む。その上、下樹脂皮膜層１１、１２の一面には樹脂皮膜を塗布する。これに二本、もしくは二本以上の単線式電線１３を下樹脂皮膜層1２の粘着表面に並列し、次に上樹脂皮膜層１１を各単線式電線１３及び下樹脂皮膜層１２の上面に被せ、各単線式電線１３を上樹脂皮膜層１１及び下樹脂皮膜層１２の間に固定する。このようにして一外被覆式フラットケーブル構造を構成する。
【０００４】
しかしながら、公知のフラットケーブル構造は、基本的に下述の問題が存在する。多数本の単線式電線１３を並列するフラットケーブル１構造であるため、使用に於いて、対応する部分の各電線１３は分設作業を行い、また各種異なる方向へ湾曲成形を行い、対応するコネクタに差し込むため、フラットケーブル１全体構造が分散剥離しやすく、且つフラットケーブル構造全体の伝送効率も落ちる。
【考案の開示】
【考案が解決しようとする課題】
【０００５】
解決しようとする問題点は、湾曲成形などにより、フラットケーブルが分散剥離しやすく、伝送効率も下がる点である。
【課題を解決するための手段】
【０００６】
本考案は、特定数量の芯線及び遮蔽層を具え、その芯線は複数の単線式導線を含むか、もしくは複数のねじり導線を含み、更に各芯線上、下方には上、下遮蔽層を圧着し、良好な伝送効率を具えた軟質フラットケーブル主体とすることを最も主要な特徴とする。
【考案の効果】
【０００７】
本考案のフラットケーブルの構造は、良好な伝送効率を具えるという利点がある。
【考案を実施するための最良の形態】
【０００８】
伝送効率が良好な軟質フラットケーブル主体を提供することを本考案の主な目的とする。
【０００９】
上述の目的を達成するため、本考案の軟質フラットケーブル主体は、特定数量の芯線及び遮蔽層を具え、その芯線は複数の単線式導線を含むか、もしくは複数のねじり導線を含む。更に各芯線上、下方には上、下遮蔽層を圧着し、良好な伝送効率を具えた之軟質フラットケーブル主体を形成する。
【実施例１】
【００１０】
本考案の特徴は、図式及び実施例を挙げて詳細する。
本考案「フラットケーブルの構造」は、一種の良好な伝送効率を具えた軟質フラットケーブル主体を提供する。そのうち、この軟質フラットケーブル主体は、図３に示すとおり、特定数量を具えた芯線２１及び上、下遮蔽層２２、２３を圧接して構成する一軟質フラットケーブル２の主体である。
【００１１】
図４に示す第一実施例に於いて、芯線２１は、複数の単線式導線２１１を含み、且つ上、下遮蔽層２２、２３は、各芯線２１前端部分区域を露出させて連接部ａを形成する。更に上、下遮蔽層２２、２３は絶縁材質で、図３及び図５に示すとおり、軟質フラットケーブル２構造を構成する。
【実施例２】
【００１２】
この他、図６の第二実施例に示すとおり、芯線２１は、複数のねじり導線２１２を含む。そのねじり導線２１２は少なくとも二本、もしくはそれ以上の単線式導線２１１を相互に交差させて構成され、図に示すねじり導線２１２は、二本単線式導線２１１を相互にねじったものである。上、下遮蔽層２２、２３は、各芯線２１上、下方で圧着し、各芯線２１前端部分区域を露出して連接部ａを形成する。図３及び図５に示すのは、同じく完成した軟質フラットケーブル２構造である。
【００１３】
本考案の芯線は複数の単線式導線、もしくは複数のねじり導線を含み、公知の単線式電線から構成されたものを改善し、且つ本考案の軟質フラットケーブルに良好な伝送効率を具えた。
【００１４】
本考案の技術内容及び技術特徴は上述のとおりである。この分野に詳しいものが本考案の提示に基づいた各種の本考案精神に近似する交換、修飾を実施するかもしれない。本考案の保護範囲は、実施例に制限されるものではなく、各種本考案から離れない交換及び修飾を含み、実用新案登録の請求範囲に含むものとする。
【図面の簡単な説明】
【００１５】
【図１】公知のフラットケーブル構造の立体分解図
【図２】公知のフラットケーブル構造の断面図
【図３】本考案の軟質フラットケーブルの構造立体分解図
【図４】本考案の第一実施例の芯線の構造立体図
【図５】本考案の軟質フラットケーブル構造の立体図
【図６】本考案の第二実施例の芯線の構造立体図
【符号の説明】
【００１６】
１          フラットケーブル
１１        上樹脂皮膜層
１２        下樹脂皮膜層
１３        単線式電線
１４        絶縁体
２          軟質フラットケーブル
２１        芯線
２１１      単線式導線
２１２      ねじり導線
２２        上遮蔽層
２３        下遮蔽層
ａ          連接部
【図１】
0003142008.tif 000003
【図２】
0003142008.tif 000004
【図３】
0003142008.tif 000005
【図４】
0003142008.tif 000006
【図５】
0003142008.tif 000007
【図６】
0003142008.tif 000008
(57)【要約】      （修正有）【課題】魚を釣る為の釣り針や付属の釣り餌又は擬似餌の周囲に、魚が身を寄せたがりそうな擬似草を装着し、魚が捕食以外の目的でも釣り針まで集まって来る機能を持たせる疑似草使用釣具を提供する。【解決手段】釣り針を着脱する事が可能な擬似草９と竿１を紐７で連結した魚釣り道具であって、竿１先端のフレーム５にリール４が取り付けられると共に、ウィンチ６を回す事によって、擬似草９を水中に敷設したり、逆に水中から回収をする機能を有することを特徴とする。【選択図】図１
0003142052.tif 000002
【実用新案登録請求の範囲】
【請求項１】
竿、グリップ、リール、紐、擬似草、リングからなる釣具の一種であって、釣竿の如く釣り針と釣り餌が装着された罠を海中に投入し、また海中から前記の罠を引き上げる機能を有し、人工の擬似草に釣り針と釣り餌を装着することを特徴とする擬似草使用釣具。
【考案の詳細な説明】
【技術分野】
【０００１】  本考案は、竿、釣り糸、釣り針、釣り餌から成る釣竿とその付属物に関する。
【背景技術】
【０００２】  従来、釣竿とその付属物は、鮎のとも釣りを除く多くの場合、竿に釣り専用の釣り糸を装着し、その釣り糸の先端には錘や釣り針が設置され、その釣り針には魚用の餌や擬似餌が組み付けられていて、魚が餌が組みつけられた針に引っかかったときにそれを回収する事により魚が捕獲できるという機能のものばかりで、様々な形状の製品が生産され使用されている。
しかし、これらは構造的に、単に魚が捕食をする本能を利用しただけのものである。【０００３】  釣竿に釣り糸で連結された釣り針の機能は、その釣り針に組みつけられた餌又は擬似餌を食べようとした魚をそのまま拘禁することであり、竿は、前記魚を回収する為のものであるが、それらは、餌又は擬似餌のみで魚をおびき寄せる機能であり、魚の捕食本能又は攻撃本能以外の性質は何も利用できていない。【０００４】  なお、本考案に関連する公知技術として次の特許文献１を挙げることができる。【０００５】
【特許文献１】  特許公開２００７−１４３４８３
【考案の開示】
【考案が解決しようとする課題】
【０００６】  上記の如く、従来の釣竿とその付属品は、餌付きの釣り針を投入した水域の魚がその餌を捕食対象としたときのみ有効に機能する漁具であり、餌を除いた釣竿とその付属品は、それ自体が魚をおびき寄せる訳ではないので、魚が釣り餌に関心を持たなければ魚は釣れず、また、たとえ釣竿使用者が、魚が釣れないときに釣りの立ち位置を変更するなどの工夫をしたとしても、それによって魚が必ず釣れるとは限らなかった。【０００７】  このため、釣竿とその付属品の使用者には、魚が釣れる日と釣れない日が存在する。【０００８】  本考案は、このような点を考慮し、釣竿の末端と云える水中の釣り針とその付属の餌又は擬似餌の周囲を擬似草で囲うことで、魚の物陰に隠れるという習性をも利用し、魚が捕食以外の目的でも釣り針に接近してくることを可能にすることにある。
【課題を解決するための手段】
【０００９】  上記の目的を達成するための本考案の擬似草使用釣具は、竿にリールによって巻き取りや展開が可能な紐を有する釣竿の一種であって、紐の先端に擬似草を装着するとともに、その擬似草には釣り針や釣り餌を着脱することができる装置が設置された事を特徴とする。
【考案の効果】
【００１０】  以上説明したように本考案によれば、竿より紐で連結されて水中に投入された釣り針とこれに組みつけられた釣り餌又は擬似餌を、擬似草に囲まれる形態にしたので、魚が餌を捕食するだけでなく、自身の隠れ場所を得るためにも擬似草使用釣具に集まってくることが可能になる。この擬似草使用釣具を例えば海の防波堤で海中に擬似草の部位を垂らすように投入し放置しておけば、自然と魚が集まり魚が釣り針にかかるため、休みながらの魚釣りをすることが可能になり、頻繁に釣竿を手放しては飲食などをする釣り人が使用する釣具としては有効である。
【考案を実施するための最良の形態】
【００１１】  以下、本考案の実施の形態を図面に基づき詳細に説明する。【００１２】  図１から図３は、本考案の実施の形態に係り、図１はその外観斜視図、図２はその擬似草の正面図、図３は擬似草の使用時の正面図【００１３】  図１で示すように、本考案は、竿１と擬似草９を紐７で連結することで、魚を釣り上げる機能を有する釣具という一つの形態を成す。【００１４】  竿１は、図１で示すように、人が手で握るためのグリップ２と、竿１を柵等に立てかけて置けるようにする為のビーム３、そして、紐７を展開したり巻き取ったりする為のリール４が装着されている。【００１５】  リール４は、図１で示すように、輪のようなフレーム５を介して竿１と固定されており、リール４の中心軸からウインチ６が設置されていて、そのウインチ６を人が回す事によって紐７が伸び出したり逆にリール４に収納されたりする仕組になっている。【００１６】  フレーム５は、先端部内側に通し穴１２が設けられていて、図１で示すように、リール４から発生する紐７を一旦通し穴１２に通してから紐７先端に擬似餌９が設置されることにより、リール４回転時に紐７が絡まったりもつれたりしにくいようになっている。【００１７】  擬似草９は、図２で示すように、上からメネジ式の錘８と、ナイロンや植物プラスチックなどの軟性材料で作られた擬似草９の本体、そして錘８から直結したリング１０から成り、リング１０は、従来技術の釣り糸とその末端の釣り針や釣り餌一式を装着する事が出来る機能を有する。【００１８】  紐７と擬似草９は、図２で示すように、着脱が可能で、紐７側の連結装置はオネジ１３で、擬似草９側の連結装置はメネジ１４である。【００２１】  紐７は、擬似草９の特殊性から、その下から引っ張られる重量に耐えられずに途中で切れてしまわないように、従来技術の釣り糸よりも太くて丈夫な素材である事が望ましい。
【産業上の利用可能性】
【００２２】  本考案は、釣具やアウトドア製品を製造又は販売する産業分野で利用することが出来る。
【図面の簡単な説明】
【００２３】
【図１】  本考案の実施の形態に係る擬似草使用釣具の外観斜視図である。
【図２】  図１の擬似草使用釣具の先端に有る擬似餌の外観斜視図である。
【図３】  図１の擬似草が水中に投入され使用さた際の外観正面図である。
【符号の説明】
【００２４】  １        竿
２        グリップ
３        ビーム
４        リール
５        フレーム
６        ウィンチ
７        紐
８        錘
９        擬似草
１０      リング
１１      従来技術による釣り糸と釣り針と餌の連結物
１２      通し穴
１３      オネジ
１４      メネジ
１５      魚
【図１】
0003142052.tif 000003
【図２】
0003142052.tif 000004
【図３】
0003142052.tif 000005
(57)【要約】      （修正有）【課題】手持ち式電動ドリルにおいて、ドリル穿孔深度を簡易に設定できるドリル穿孔深度調整機を提供する。【解決の手段】手持ち式電動ドリル先端のドリル首８または本体に装着して穿孔ストッパー１に付属した可動式メジャー５によりドリル刃出し長を調整し、これにより穿孔深度をあらかじめ設定して、穿孔深度の調整と固定化を可能とし、複数の加工対象物に対して同一のドリル穿孔深度を確保する。【選択図】図２
0003142039.tif 000002
【実用新案登録請求の範囲】
【請求項１】
手持ち電動ドリル先端に装着するドリル穿孔深度を調整するドリル穿孔深度調整機の構造。
【請求項２】
ドリル穿孔深度調整機に装着するドリル刃長計測用、可動式メジャーの構造。
【考案の詳細な説明】
【技術分野】
【０００１】
本考案は、手持ち式電動ドリル先端に装着しその穿孔深度をあらかじめ設定することにより穿孔作業の均質化を可能にするドリル穿孔深度調整機に関するものである。
【背景技術】
【０００２】
固定式ボール盤においてはドリル穿孔深度をあらかじめ設定し、複数の対象に対して均一なドリル穿孔の深度を確保可能であるが、手持ち式電動ドリルにおいてはこのような、ドリル穿孔深度のあらかじめの設定は不可能な構造であった。
【考案の開示】
【考案が解決しようとする課題】
【０００３】
解決しようとする課題は、手持ち式電動ドリルにおいてドリル穿孔深度をあらかじめ設定することを可能にしかつ可動式メジャーにより穿孔深度計測をすることである。
【課題を解決するための手段】
【０００４】
手持ち式電動ドリル先端部のドリル首または本体に装着するドリル穿孔深度調整機のストッパーが、ストッパー面から付属した可動式メジャーによりドリル刃出し長を測り、あらかじめ設定した穿孔深度の深さにドリル刃が穿孔加工対象物の穿孔深度に達した際に、それ以上の穿孔を妨げる事で、複数回の穿孔作業においても同一の穿孔深度を確保可能とする事を主要な手段とする。
【考案の効果】
【０００５】
本考案のでは、従来困難であった手持ち式電動ドリルによる穿孔深度の調整と固定化が容易になる。
【図面の簡単な説明】
【０００６】
【図１】ドリル穿孔深度調整機の構造図である。
【図２】ドリル首装着時の断面図である。
【図３】ドリル本体装着時の断面図である
【符号の説明】
【０００７】
１  ドリル穿孔ストッパー
２  先端構造
３  深度調整ボルト
４  深度調整ナット
５  深度調整用可動式メジャー計測時位置
６  深度調整要可動式メジャー作業時位置
７  電動ドリル・ドリル首装着部
８  電動ドリル・ドリル首部分
９  電動ドリル本体
１０  ドリル刃
１１  ドリル首装着用締め付けナット
【図１】
0003142039.tif 000003
【図２】
0003142039.tif 000004
【図３】
0003142039.tif 000005
【手続補正書】
【提出日】平成20年3月20日(2008.3.20)
【手続補正１】
【補正対象書類名】実用新案登録請求の範囲
【補正対象項目名】全文
【補正方法】変更
【補正の内容】
【実用新案登録請求の範囲】
【請求項１】
手持ち電動ドリル先端または本体に着装する、支持部分と深度調整用のボルトと蝶ネジ、被切削材に接するストッパー、およびストッパーに組み込まれたドリル刃長計測メジャーにとで構成され、ドリル穿孔作業時に、被切削材に対して設定深度にドリル刃が進行した時点で被切削材の表面にストッパー先端が当接することにより、予め設定した穿孔深度を確保するドリル穿孔深度調整機。
【請求項２】
ストッパー部分にドリル刃長計測メジャーが組み込まれたことを特徴とする請求項１記載のドリル穿孔深度調整機。
(57)【要約】      （修正有）【課題】空気バルブの本体や栓を歪み防止のため肉厚に成型しなくてもよく、柔軟性を保持した状態で空気漏れが防げ、さらに栓の開け閉めが容易になる空気バルブを提供する。【解決手段】３は空気バルブの円筒部で下部に独立した逆止弁を内底部で係止している。逆止弁は薄いゴムなどで成型され、下部からの圧力で上昇し円筒部下部に開けられた空気孔を塞ぐ。４は本空気バルブと商品本体との係止部でこの部分を溶着してバルブを商品に取り付ける。６は本体の栓でその外周に突起５をバルブ内周の溝７に嵌合するように設けてある。【選択図】図２
0003142040.tif 000002
【実用新案登録請求の範囲】
【請求項１】
（イ）可塑性と柔軟性を持つビニール、ＥＶＡ，軟質プラスチックやゴム、ポリウレタン、シリコーン等で成型され
（ロ）上部に蓋または栓をして使用し
（ハ）下部に独立した逆止弁を有する円筒形の空気バルブで
（ニ）その本体円筒部の外周上部にリング状突起を一体に有し、
（ホ）そのリング状突起の高さが本体円筒部の高さの半分以下であること。
以上を特徴とする空気用のバルブ。
【請求項２】
上記のリングを別体にし、円筒部の外周上部に接着、溶着または嵌合させた請求項１の空気バルブ
【考案の詳細な説明】
【考案の詳細な説明】
【技術分野】
【０００１】  この考案は、ビニールやポリウレタン等可塑性と柔軟性を併せ持つ素材で成型された円筒形の空気バルブに関するもので、空気で膨らませる日用雑貨、マット、イスなどの家具類や玩具などの製品に使用される。
【背景技術】
【０００２】  従来、ビニールやＥＶＡで成型された空気バルブは図４のようなものが一般的であった。内部にその下部を封止した円筒部を有し、さらにその封止下部に水平に切り込みを入れ、弁の役割としたものである。しかしながら、本体円筒部との一体成型であるため弁自体の戻りが悪く、素材によっては空気漏れの原因となっていた。特許公開番号２００１−３１４２８５では弁自体は図４と同様、円筒部と同一素材の一部分であり、空気漏れの発生する可能性がある。実用新案登録番号３１１３８８６号では空気バルブ自体の大きさが問題であり空気を抜いた場合での扱いに不便であり、また従来、可塑性と柔軟性を持つ素材で弁自体を独立させて設け可動弁とした場合の空気バルブは弁の戻りは良いが内部構造が複雑となり栓との嵌合により本体に歪みが生じ、空気が漏れることがあった。
【考案が解決しようとする課題】
【０００３】  本考案は、その欠点を除いて、円筒型の空気バルブを簡便に提供することにある。
【課題を解決するための手段】
【０００４】  いま、解決手段を図を追いながら説明すれば、本体は図２のようになる。３は空気バルブの円筒部で下部に独立した図３の逆止弁を内底部で係止している。図３の弁は薄いゴムなどで成型され、下部からの圧力で上昇し円筒部下部に開けられた空気孔を塞ぐ。４は本空気バルブと商品本体との係止部でこの部分を溶着してバルブを商品に取り付ける。６は本体の栓でその外周に突起５をバルブ内周の溝７に嵌合するように設けてある。通常、この空気バルブは素材から柔軟性を有するので栓６を空気バルブに嵌め込むと円筒部３または栓６のどちらかに歪みが生じ、結果として空気漏れを生じさせていた。
【０００５】歪みを解消する手段としては、
（１）栓の６の内部に硬いリングを嵌める、または肉厚を厚くする。
（２）空気バルブの円筒部３を全体に肉厚にし硬くする。または外周全体にリングを嵌めこむ。
などの方法が考えられた。しかしながら、（１）や（２）の方法ではどうしても片方が歪み、また栓を嵌合した後、歪みから復元したバルブ本体の栓が外れにくくなるなどの問題点が生じた。そこで、本考案では、図１のリング１を本体円筒部の半分より短くし上部に一体に設けた。このことにより、栓とバルブ本体の柔軟性を損なわず栓６は当初歪んで入るが、上部は気密性を保ち、下部は柔らかいので当初の歪みから復元しても容易に取り外しが可能となった。
【考案の実態の形態】
本考案は、以上のような構造で、本体円筒部に一体に有するリングは最初から本体円筒部上部外周に成型しても構わないし、別にリングを作り、本体に溶着させるか接着させても構わない。本体円筒上部に溝を設け別リングを脱落しないよう嵌合させても構わない。リングの形状も図６のような環状でも、丸状でも構わない。リングの大きさは本体円筒部の半分以上にリングを設けるとバルブ全体が固くなり、栓の取り外しが容易ではなくなるので、円筒部外周の半分以下で十分であり、本体の大きさや外周部３の肉厚や栓６の肉厚等を考慮して３分の１や４分の１の大きさも可能である。要は円筒外周上部のみを厚くし栓と本体との嵌合時に歪みを無くすことにある。
【０００６】円筒形の空気バルブの他の構成としては、図５のようなものもある。これは下部に薄膜の上下可動弁９を有し９の一端は本体円筒下部に接合または嵌合されている。空気の流入排出にともなって上下動を行う。１０は弁にある溝を表しているが、この溝はなくてもよい。図では１１の本体円筒部にリング２を別体にし接着または嵌合させて使用する。リングの形状は図６のようでも構わない。また、このリングは断面を丸状にし、１１の上部に相対する溝を設ければ嵌合が容易になる。むろん、リングを請求項１のごとく本体円筒部の上部に一体に成型しても構わない。
【０００７】空気バルブの形状や下部の弁の形状は様々に考えられるが、柔軟性を持つ素材で作成され円筒部に蓋または栓をする形状で下部に独立した逆止弁を有する空気バルブに、このリングは有効である。
【考案の効果】
【０００８】  空気バルブの本体や栓を歪み防止のため肉厚に成型しなくてもよく、柔軟性を保持した状態で空気漏れが防げ、さらに栓の開け閉めが容易になった。また、肉厚に成型しなくてもよいため、逆止弁の形状に自由度が生まれ、空気孔の大きさも大きく取ることが出来る。
【図面の簡単な説明】
【０００９】
【図１】  本考案の下から見た空気バルブの外観斜視図である。
【図２】  本考案の上から見た空気バルブの外観斜視図である。
【図３】  弁本体の斜視図
【図４】  従来の空気バルブの斜視図。
【図５】  本考案の別形態の空気バルブの外観斜視図である。
【図６】  他の形態のリングの斜視図
【符号の説明】
【００１０】１は一体成型のリング
２は別体のリング
３は本体円筒部
４は商品本体への係止部
５は栓の環状突起
６は栓
７は円筒部内部の溝
８は弁
９は別形態の可動弁
１０は可動弁上の溝
１１は円筒部の外周
【図１】
0003142040.tif 000003
【図２】
0003142040.tif 000004
【図３】
0003142040.tif 000005
【図４】
0003142040.tif 000006
【図５】
0003142040.tif 000007
【図６】
0003142040.tif 000008
(57)【要約】      （修正有）【課題】植物にとって優しく、病害虫などの被害に対する防除に対応した、園芸で植物の幹や茎を支柱などに取り付けるモール・タイの提供。【解決手段】薬品や水などに強いステンレス線の芯と、合成繊維の繊毛からなる構造で、植物に接する部分は起毛した繊維が柔らかなクッションになり、支柱などに結着しても、傷がつかない。作業する人の手指にも優しく負担が少ない。また、茎に巻き付けた繊毛部に、害虫を防除する薬剤をしみ込ませて植物への被害を軽減させることができる。【選択図】図２
0003142036.tif 000002
【実用新案登録請求の範囲】
【請求項１】
園芸・菜園等で育成・栽培する植物（作物）の幹・茎・枝・蔓などを、支柱等に結着・保持することが必要な場合に用いる結着材で、同時に病・害虫の被害を軽減させる事を目的として、薬剤・塩分・水分等を含んでも、また日光にさらされても錆・腐蝕など変質しない材質のステンレス線を芯とし、抗菌作用のある繊維を含む、合成繊維の材質の繊毛を有するモール・タイ。
【考案の詳細な説明】
【技術分野】
【０００１】  本考案は、園芸・菜園を効率よく経営するための手段として、育成する植物の成長に必要な補助をし、かつ病原菌や微生物・害虫などが原因の植物の被害を軽減させるためのものである。
【背景技術】
【０００２】  園芸・菜園で育成栽培する多くの植物の中には、必要に応じて支柱や棚・網などに、該植物の幹・茎・枝・蔓などを結着・保持して、その育成を補助しなければならないことがあるが、その手段として、わら縄や麻紐・ポリプロピレンなどの化学製品の紐やテープを用いて結ぶことが多い。これらの縄・紐類は、植物と支柱等に巻き付けた上、両端を結ぶという作業をする訳であるが、紐を結ぶという行為には両手を使った細かい作業が必要で、これがかなり手間が掛かり、面倒な仕事であるため、最近では中心に鉄の針金を挟んで貼り合わせたビニールテープを用いることが多い。いわゆるビニタイである。
ビニタイは、その中心部にある針金により、紐より「腰」と言われる一定の堅さがあるため、結ばずに両端を捻るたけで結着できるので、紐のように結ぶ手間が省けて作業が簡単にできる利点がある。
しかし、このビニタイは、薄いビニール一枚を隔てて鉄の針金が直接植物にふれるために、縛られる植物にとっては柔らかい紐よりも負担が大きい。場合によっては、風などの影響で植物が揺れて、こすれて傷が付くことも起こりうる。
また、捻った部分が撚り戻らぬように固着するには、一定の堅さの針金が必要であり、これが連続して作業する場合、人の手指に負担を掛けることになる。
【考案の開示】
【考案が解決しようとする課題】
【０００３】  紐のように植物の幹や茎・枝などに接するところが柔らかく、植物が揺れても傷が付かない上に、ビニタイのように簡単に手早く結着出来る方法があれば、両方の長所を生かすことが出来るわけである。このように育てる植物に優しく、かつ作業する人の手指にも優しい解決方法が求められている。
【課題を解決するための手段】
【０００４】  本考案の園芸用モール・タイは、極めて細い２本のステンレス製の針金（以下ステンレス線という）の間に、短く裁断した合成繊維の無撚糸を挟み込んで、この２本の針金に撚りを掛けて、繊維の脱落を防ぎ固着する構造をもつ。その中心に縄状に撚られた２本のステンレス線が芯となり、それに直角に挟み込まれた繊維が、中心から外へ放射状に広がった状態の繊毛となっている。  外見は表面に繊維の断面を見せた丸い棒状であり、この繊維の断面を縦に触れる構造により、繊維１本１本の弾力が集合して高いクッション性が生じる。柔らかく、手触りが良いのもこの理由による。
「ビロード」という布があるが、この布の光沢と滑らかさ、手触りの良さはまさにこの「繊維を縦に触る」ことがその理由であり、本考案の園芸用モール・タイも、この「ビロード」と同じ感触をもつ。
したがって園芸・菜園で育成・栽培する植物を支柱等に結着する際には、植物に触れる部分は、起毛した繊毛が柔らかく当たり、クッションとなる為、芯のステンレス線が直接植物と接する事はなく、植物を傷つけることはない。
同時に、芯が金属のステンレス線のため、「腰」があるのはビニタイと同様である。故に軽く捻るだけで、必要な結着ができる。ビニタイの針金よりも、はるかに細い芯であるが、自然に結合が解ける事はない。なぜならばモール・タイを２本合わせて交差させると、双方の繊毛が芯のステンレス線まで割れて開き、芯どうしが接触するので、捻ると芯が絡み合い、縄状に撚れるのである。
その上で双方の繊毛が噛み合うため、捻った部分が緩んだり、滑ったりして緩むことがないからである。
芯が細く柔らかである上に、繊毛のクッション性があるために、結着作業をする人の手指に与える負担は極めて軽いものである。
このように、紐のもつ柔らかさと、ビニタイのもつ簡便さを合わせ持った製品を用いる事で課題を解決できるものと言える。
【考案の効果】
【０００５】  本考案の園芸用モール・タイを用いて植物の育成・栽培を補助する際に、ビニタイと同様の、簡単安易に結束・結着・保持ができ、さらにそれ以上に育てる植物にも、作業をする人にも優しい機能を有することは明らかではあるが、そのほかにもビニタイには不可能な独自の新しい用途がある。
即ち、支柱等への結着・結束だけでなく、それ以外の用途として、育成栽培する植物等に害を及ぼす病原菌・微生物・害虫などを防除するためにも用いることができる事である。  それは、植物の幹や茎・枝などにモール・タイを巻き付けて固定し、その繊毛に水溶性の薬剤（殺虫剤・忌避剤などの防除剤）を、スポイト等で滴注して含ませる事により、常に薬剤に満たされたバリアーがある状態を作り、害虫などの登攀・移動・繁殖等を減らせる事ができる。
また、繊毛に抗菌作用のある繊維を用いることにより、巻き付けた箇所より先への進出拡大を阻止し、病原菌・カビなどの繁茂増殖を防止することもできる。
このため園芸用モール・タイの芯には、ビニタイに用いられている鉄の針金ではなく、薬剤・塩分・水等に強いステンレス線を用い、錆・腐蝕などを防ぐ必要がある。繊手の材質も同様の意味で、木綿・絹・麻・レーヨンなどより、合成繊維を用いる方が望ましい。
【図面の簡単な説明】
【図１】  園芸用モール・タイの構造をわかりやすくするために拡大して現したものである。１は、モール・タイを側面から見た形態で、繊維を短くカットした繊毛１ｂが密集している棒状のものである。中心に位置する芯１ａの２本のステンレス線を、わざと繊毛１ｂを抜いて、縄のように撚りが掛けられている事がわかるように一部を露出させて表現した。２は、モール・タイ１を真横に切断した断面を示したもので、中心の芯１ａの２本のステンレス線に挟まれて撚り込まれた繊毛１ｂが、中央から外側へ放射状に広がって、繊維の切り口を外側にした円筒形を形作っていることを現している。
【図２】  園芸用モール・タイ１の使用例を示したもので、育成栽培する植物３を倒れないように支柱４に連結した部分５と、害虫防除のために植物３の茎と支柱４にモール・タイを巻き付けて固定した部分６に、スポイト７等を用いて防除剤の溶液８を注いでいる状態を現している。
【図１】
0003142036.tif 000003
【図２】
0003142036.tif 000004
(57)【要約】      （修正有）【課題】破れにくい安価なブックカバーを提供し、また、表面に多様な多色柄を表現するブックカバーを提供する。【解決手段】ブックカバーのシート材を、あらかじめ染色した紙紐を織ったシートとすることで、複数の色彩で規則的に染色した紙紐により扇面に規則的な多色柄を表現すること、または複数の色彩で不規則に染色した紙紐により扇面に不規則な多色柄を表現する。【選択図】図１
0003142086.tif 000002
【実用新案登録請求の範囲】
【請求項１】
書籍等の表表紙から背表紙、裏表紙までに装着されるブックカバーであって、
ブックカバーのシート材を、あらかじめ染色した紙紐を織ったシートとすることで、複数の色彩で規則的に染色した紙紐により扇面に規則的な多色柄を表現すること、または複数の色彩で不規則に染色した紙紐により扇面に不規則な多色柄を表現することを特徴とするブックカバー。
【考案の詳細な説明】
【技術分野】
【０００１】
この考案は、あらかじめ染色した紙紐で織ったシート材を用いて書籍等に装着されるブックカバーに関する。
【背景技術】
【０００２】
書籍等の保護や美観を保つためにブックカバーが装着されている。従来のブックカバーは、紙を折ったものや布帛を縫製したものが一般的である。
紙を折ったブックカバーは、耐久性に欠けるため、長期間の使用によりすり切れる、あるいは書籍の開閉に伴って破れることがあった。
また、布帛を縫製したブックカバーは、厚みがあってごわごわするため、書籍の開閉に支障があり、厚みの異なる書籍に対して柔軟に対応できないなどの欠点があった。
【考案の開示】
【考案が解決しようとする課題】
【０００３】
この考案は、破れにくい安価なブックカバーを提供し、また、表面に多様な多色柄を表現するブックカバーを提供する。
【課題を解決するための手段】
【０００４】
この考案は、以上の課題を解決するためになされたものであり、ブックカバーのシート材を、あらかじめ染色した紙紐を織ったシートとすることで、複数の色彩で規則的に染色した紙紐により扇面に規則的な多色柄を表現すること、または複数の色彩で不規則に染色した紙紐により扇面に不規則な多色柄を表現することを特徴とするブックカバーである。
【考案の効果】
【０００５】
この考案において、あらかじめ染色した紙紐で織ったシート材を用いてブックカバーとすることにより、多様な多色柄を表現するとともに、紙紐の強度により、ブックカバーの耐久性を高める。
【考案を実施するための最良の形態】
【０００６】
以下に、この考案のその最良の実施の形態に基づいて説明する。なお、この考案は、以下の実施の形態に限定されるものではなく、この考案と同一および均等の範囲内において、以下の実施の形態に対して種々の変更を加えることが可能である。
【実施例】
【０００７】
図１は、この考案によるブックカバーの一実施例を示したものであり、ブックカバー１は、書籍２に合わせて折られ、ブックカバー１の両端の表表紙カバー部１１および裏表紙カバー部１２に、書籍２の表表紙２１および裏表紙２２がそれぞれ装着される。
ブックカバー１には、紙紐で織り成されたモザイク状の多色柄が表現されている。
【０００８】
紙紐は、細長く切った紙に撚りを加えることで紐にしたものであって、複数の色彩で規則的または不規則的に染色を行った紙紐を経糸および緯糸として織ることによりシートとなる。この織り上がったシートには、あらかじめ染色された複数の色彩の規則性または不規則性に対応して、規則的な多色柄または不規則な多色柄が表現される。
紙紐に加える染色の色数、長さ、ピッチを変えることにより、多色柄に多様性がもたらされる。
【０００９】
シートを織る場合に、経糸または緯糸を紙紐とし、もう一方を通常の糸としても構わない。又、織り上がったシートの片面に紙で裏打ちをする事によりブックカバーに折り目が付きやすくなり本のサイズに合った体寸を保つ事が可能となる。
【００１０】
細長く切った紙は、紙としての強度しか持たないが、これを撚って紙紐とすることで、紐としての強度を呈し、強度が高くなるため、この紙紐で織ったシート材を用いたブックカバーは耐久性があり、長期間の使用ですり切れることもなく、また、書籍の開閉に伴って破れることもない。
【産業上の利用可能性】
【００１１】
この考案によるブックカバーは、従来のブックカバーと同じ形態であるが、シート材を紙紐で織ったシート材を用いることにより、ブックカバーの耐久性を高めるとともに、これまでにない多様な多色柄を表現することが可能となる。
【図面の簡単な説明】
【００１２】
【図１】この考案によるブックカバーの一実施例の説明図である。
【符号の説明】
【００１３】
１      ブックカバー
２      書籍
１１    表表紙カバー部
１２    裏表紙カバー部
２１    表表紙
２２    裏表紙
【図１】
0003142086.tif 000003